(57)【特許請求の範囲】
【請求項１】
ランプ本体及び前記ランプ本体と係合するためのアダプタを備える発光ダイオードランプにおいて、
前記ランプ本体には、その底面から突出する２つのピンが互いに離間して設けられ、前記２つのピンが、前記ランプ本体の正極及び負極として使用され且つ双ピン式ソケットに挿入するために用いられ、
前記アダプタが、前記ランプ本体と係合する接合台座と、前記接合台座から延伸し且つ外周面に前記アダプタの負極として使用する金属ねじ山が形成されるコネクタと、前記接合台座の中に設置され且つ前記金属ねじ山に接続される第一接続部と、前記接合台座及び前記コネクタの中に設置され且つアダプタの正極として使用されるように前記コネクタの底面から露出される底端を有する第二接続部と、を備え、前記第一接続部の上端には、前記上端が凸面状であるように第一突起が形成され、前記第二接続部の上端には、前記上端が凸面状であるように第二突起が形成され、前記ランプ本体が前記アダプタと係合する場合、前記ランプ本体の前記２つのピンが前記第一突起及び前記第二突起にそれぞれ接触して導通し、前記コネクタが、標準ランプ用のねじ込み式ソケットと係合するために用いられることを特徴とする、発光ダイオードランプ。
【請求項２】
前記接合台座が、上部及び前記上部から下方へ延びる下部を備え、前記上部には、収容孔が開設され、前記下部には、前記収容孔と連通する止まり穴が開設され、さらに、前記下部には、前記止まり穴の底面から下方へ延びる第一挿入孔及び第二挿入孔が互いに離間して設けられ、前記収容孔及び前記止まり穴が、前記ランプ本体を係合するための収容空間を構成し、前記ランプ本体の前記２つのピンが、前記第一挿入孔及び前記第二挿入孔にそれぞれ挿入されることを特徴とする、請求項１に記載の発光ダイオードランプ。
【請求項３】
前記第一突起が前記第一挿入孔の中に延伸され、前記第二突起が前記第二挿入孔の中に延伸され、前記ランプ本体が前記アダプタと係合する場合、前記ランプ本体の前記２つのピンが、前記第一挿入孔及び前記第二挿入孔の中に挿入することを特徴とする、請求項２に記載の発光ダイオードランプ。
【発明の詳細な説明】
【技術分野】
【０００１】
本発明は、発光ダイオードランプに関し、特に異なるタイプのランプソケットと係合することができる発光ダイオードランプに関するものである。
【背景技術】
【０００２】
従来の発光ダイオードランプは、ランプ本体及びランプ本体に形成されるコネクタを備える。ランプのコネクタは、外周にねじ山が形成され、ねじ山を有するランプソケットに係合するために用いられる。ランプソケットは、発光ダイオードランプを点灯するように発光ダイオードランプに電流を供給する。しかし、発光ダイオードランプを製造する際には、発光ダイオードランプのコネクタは、一般的に、双ピン式ソケット（例えば、ＭＲ−１６ソケット）又はねじ込み式ソケット（例えば、Ｅ−１０ソケット）のいずれか一種だけとしか係合することができないため、従来の発光ダイオードランプの応用性が悪い。
【発明の概要】
【発明が解決しようとする課題】
【０００３】
前記課題を解決するために、本発明は、異なるタイプのランプソケットと係合することができる発光ダイオードランプを提供する。
【課題を解決するための手段】
【０００４】
本発明に係る発光ダイオードランプは、ランプ本体及び前記ランプ本体と係合するためのアダプタを備え、前記ランプ本体には、その底面から突出する２つのピンが互いに離間して設けられ、前記２つのピンは、前記ランプ本体の正極及び負極として使用され且つ双ピン式ソケットに挿入するために用いられ、前記アダプタが、前記ランプ本体と係合する接合台座と、前記接合台座から延伸し且つ外周面に前記アダプタの負極として使用する金属ねじ山が形成されるコネクタと、前記接合台座の中に設置され且つ前記金属ねじ山に接続される第一接続部と、前記接合台座及び前記コネクタの中に設置され且つアダプタの正極として使用されるように前記コネクタの底面から露出される底端を有する第二接続部と、を備え、前記第一接続部の上端には、前記上端が凸面状であるように第一突起が形成され、前記第二接続部の上端には、前記上端が凸面状であるように第二突起が形成され、前記ランプ本体が前記アダプタと係合する場合、前記ランプ本体の前記２つのピンが前記第一突起及び前記第二突起にそれぞれ接触して導通し、前記コネクタが、標準ランプ用のねじ込み式ソケットと係合するために用いられる。
【発明の効果】
【０００５】
従来の技術と比べ、本発明に係る発光ダイオードランプは、ランプ本体及びランプ本体と係合するアダプタを備え、ランプ本体には、双ピン式ソケットと係合することが可能な２つのピンが形成され、アダプタには、ねじ込み式ソケットと係合することが可能なネジ式コネクタが形成され、発光ダイオードランプが双ピン式ソケットと係合する場合、ランプ本体は、その２つのピンを利用して双ピン式ソケットに挿入することができ、発光ダイオードランプがねじ込み式ソケットと係合する場合、ランプ本体は、アダプタを利用してねじ込み式ソケットにねじ込むことができる。従って、本発明の発光ダイオードランプは、異なるタイプのランプソケットと係合することができる。
【図面の簡単な説明】
【０００６】
【図１】本発明の第一実施形態に係る発光ダイオードランプの立体図である。
【図２】図１に示した発光ダイオードランプのアダプタの断面図である。
【図３】図１に示した発光ダイオードランプのランプ本体の立体図である。
【図４】本発明の第二実施形態に係る発光ダイオードランプのアダプタの断面図である。
【発明を実施するための形態】
【０００７】
以下、図面を参照して、本発明の実施形態について説明する。
【０００８】
図１を参照すると、本発明の第一実施形態に係る発光ダイオードランプ１は、アダプタ１０及びアダプタ１０と係合するランプ本体２０を備える。
【０００９】
図２を参照すると、アダプタ１０は、接合台座１２、電気接続部１４及びコネクタ１６を備える。接合台座１２及びコネクタ１６は、電気的な絶縁材料で作られており、一体的に成型される。電気接続部１４は、接合台座１２及びコネクタ１６の内部に設置される。
【００１０】
接合台座１２は、上部１２１及び上部１２１から下方へ延びる下部１２３を備える。上部１２１は、円筒形を呈する。下部１２３は、円錐台形を呈し且つ上から下まで直径が徐々に小さくなる。上部１２１の直径は、下部１２３の直径より大きい。下部１２３は、上部１２１の底面の中央部から下方へ延びる。上部１２１には、収容孔１２２が開設される。下部１２３の頂部には、収容孔１２２と連通する止まり穴１２４が開設される。さらに、下部１２３には、止まり穴１２４の底面から下方へ延びる第一挿入孔１２６及び第二挿入孔１２８が互いに離間して設けられている。第一挿入孔１２６及び第二挿入孔１２８は、互いに平行であり且つ止まり穴１２４とそれぞれ連通する。止まり穴１２４の内径は、収容孔１２２の内径より小さい。収容孔１２２は、止まり穴１２４と共にランプ２０の一部を収容するための収容空間を形成する。
【００１１】
コネクタ１６は、細長い構造体であり且つ接合台座１２の下部１２３の底面の中央部から下方へ延びる。コネクタ１６の直径は、下部１２３の直径より小さい。コネクタ１６の上部の外周面には、金属ねじ山１６２が形成される。
【００１２】
電気接続部１４は、第一接続部１４２及び第二接続部１４４を備える。第一接続部１４２及び第二接続部１４４は、接合台座１２の下部１２３の内部に設置され且つ止まり穴１２４の下方にそれぞれ位置される。第一接続部１４２の下端部は、接合台座１２の下部１２３の底面から露出され且つアダプタ１０の負極として使用される金属ねじ山１６２に接続される。第一接続部１４２の上端部には、下部１２３の第一挿入孔１２６に対応し且つ第一挿入孔１２６と連通する第一導電孔１４６が開設される。第二接続部１４４の上端部には、下部１２３の第二挿入孔１２８に対応し且つ第二挿入孔１２８と連通する第二導電孔１４８が開設される。第二接続部１４４の下端部は、コネクタ１６の中に延伸され、且つ、第二接続部１４４の底端１６４は、コネクタ１６の底部から露出され、従って、アダプタ１０の正極として使用される。本発明のコネクタ１６は、標準ランプ用ねじ込み式ソケットの規格を満たすことができる。
【００１３】
図３を参照すると、ランプ本体２０は、ホルダ２２及びホルダ２２の上部に形成されるバルブ２４を備える。バルブ２４の外周面には、複数のフィン２４１が形成される。バルブ２４の下端部のサイズは、アダプタ１０の接合台座１２の上部１２１の収容孔１２２の内径より僅かに小さい。ホルダ２２の直径は、アダプタ１０の接合台座１２の下部１２３の止まり穴１２４の内径より僅かに小さい。ホルダ２２の底部には、下方へ延びる２つのピン２２２、２２４が設けられ、２つのピン２２２、２２４は、異なる極性を有し且つアダプタ１０の第一挿入孔１２６及び第二挿入孔１２８にそれぞれ対応する。外部電源は、２つのピン２２２、２２４を介してランプ本体２０に電力を供給することができる。本実施形態において、ランプ本体２０は、発光ダイオード（図示せず）を光源とする照明器具である。２つのピン２２２、２２４は、標準ランプ用双ピン式ソケットの規格を満たすことができる。
【００１４】
利用可能な双ピン式ソケット（図示せず）がある場合、発光ダイオードランプ１は、アダプタ１０を使用せずにランプ本体２０を直接的に使用することができる。ランプ本体２０のピン２２２、２２４は、双ピン式ソケットの取り付け孔に挿入し、双ピン式ソケットと電気的に接続し、これにより、双ピン式ソケットは、ランプ本体２０に電力を供給する。
【００１５】
利用可能なねじ込み式ソケット（図示せず）がある場合、発光ダイオードランプ１は、アダプタ１０を使用する必要がある。具体的には、バルブ２４の下端部は、アダプタ１０の接合台座１２の上部１２１の収容孔１２２に収容され、それと共に、ホルダ２２は、接合台座１２の下部１２３の止まり穴１２４に収容され、２つのピン２２２、２２４は、第一挿入孔１２６及び第二挿入孔１２８を介して第一接続部１４２の第一導電孔１４６及び第二接続部１４４の第二導電孔１４８にそれぞれ挿入され、これにより、第一接続部１４２及び第二接続部１４４に電気的に接続される。従って、ランプ本体２０とアダプタ１０との間の電気的な接続を実現することができる。それから、アダプタ１０のコネクタ１６をねじ込み式ソケットにねじ込み、この時、アダプタ１０のコネクタ１６の金属ねじ山１６２は、ねじ込み式ソケットの負極に接続され、第二接続部１４４の底端１６４は、ねじ込み式ソケットの正極に接続される。従って、ランプ本体２０は、アダプタ１０を介してねじ込み式ソケットと電気的な接続を実現することができる。
【００１６】
図４を参照すると、本発明の第二実施形態に係るアダプタ１０ａの構造は、第一実施形態のアダプタ１０の構造とほぼ同じである。異なるのは、第二実施形態では、電気接続部１５に導電孔が開設されず、第一接続部１５２の上端に第一挿入孔１２６の中に延伸される第一突起１５６が形成され、第二接続部１５４の上端に第二挿入孔１２８の中に延伸される第二突起１５８が形成されることである。ランプ本体２０はアダプタ１０ａと係合する場合、ランプ本体２０の２つのピン２２２、２２４は、第一挿入孔１２６及び第二挿入孔１２８の中に挿入し且つ第一突起１５６及び第二突起１５８にそれぞれ接触する。従って、ランプ本体２０とアダプタ１０ａとの接続を実現する。
【００１７】
本発明の実施形態に係る発光ダイオードランプ１は、ランプ本体２０及びランプ本体２０と係合するアダプタ１０を備え、ランプ本体２０には、双ピン式ソケットと係合することが可能な２つのピンが形成され、アダプタ１０には、ねじ込み式ソケットと係合することが可能なネジ式コネクタが形成され、発光ダイオードランプ１が双ピン式ソケットと係合する場合、ランプ本体２０は、その２つのピンを利用して双ピン式ソケットに挿入することができ、発光ダイオードランプ１がねじ込み式ソケットと係合する場合、ランプ本体２０は、アダプタ１０を利用してねじ込み式ソケットにねじ込むことができる。従って、本発明の発光ダイオードランプ１は、異なるタイプのランプソケットと係合することができる。
【符号の説明】
【００１８】
１  発光ダイオードランプ
１０、１０ａ  アダプタ
２０  ランプ本体
１２  接合台座
１４、１５  電気接続部
１６  コネクタ
１２１  上部
１２２  収容孔
１２３  下部
１２４  止まり穴
１２６  第一挿入孔
１２８  第二挿入孔
１４２、１５２  第一接続部
１４４、１５４  第二接続部
１４６  第一導電孔
１４８  第二導電孔
１６２  金属ねじ山
１６４  底端
２２  ホルダ
２４  バルブ
２２２、２２４  ピン
２４１  フィン
１５６  第一突起
１５８  第二突起
【図１】
0005774048.tif 000002
【図２】
0005774048.tif 000003
【図３】
0005774048.tif 000004
【図４】
0005774048.tif 000005